(57)【要約】【課題】電気錠に対するシリンダユニットの物理的な固定と電気的な接続とを容易に行うための電気錠システムを提供する。【解決手段】  本発明の電気錠システムは、扉２の木口２ａ側でデッドボルト１５を進退させる電気錠３と、電気錠３に取り付けられ、ボルト機構１１を動作させて施解錠を行うシリンダユニット５と、シリンダユニット５を電気錠３に固定する固定位置Ｐ２と、シリンダユニット５の固定を解除する解除位置Ｐ１と、の間で移動可能な装着部材６０と、装着部材６０に支持され、電気錠３内の駆動制御回路１８に導通するコネクタ８２を有する接続部材６１と、を備え、接続部材６１は、装着部材６０を固定位置Ｐ２に移動した場合にシリンダユニット５の第２基板側コネクタ５１に対してコネクタ８２を電気的に接続させ、装着部材６０を解除位置Ｐ１に移動した場合に第２基板側コネクタ５１に対するコネクタ８２の接続を解除する。【選択図】図３
2015183415.tif 000002
【特許請求の範囲】
【請求項１】
扉の木口から前記扉に内設され、前記木口側でデッドボルトを進退させるボルト機構を含む電気錠と、
前記扉の一方の壁面側から前記電気錠に取り付けられ、前記ボルト機構を動作させて施解錠を行うシリンダユニットと、
前記シリンダユニットを前記電気錠に固定する固定位置と、前記電気錠に対する前記シリンダユニットの固定を解除する解除位置と、の間で移動可能な装着部材と、
前記装着部材に支持され、前記電気錠内の電装部材に導通するコネクタを有する接続部材と、を備え、
前記接続部材は、
前記装着部材を前記固定位置に移動した場合に、前記シリンダユニットに設けられる相手側コネクタに対して前記コネクタを電気的に接続させ、
前記装着部材を前記解除位置に移動した場合に、前記相手側コネクタに対する前記コネクタの接続を解除することを特徴とする電気錠システム。
【請求項２】
前記接続部材は、前記コネクタを前記相手側コネクタに向けて付勢する付勢部材を有していることを特徴とする請求項１に記載の電気錠システム。
【請求項３】
前記装着部材は、
前記解除位置にある場合に前記電気錠の前記木口側の端面から突出し、前記固定位置にある場合に前記端面と面一になる操作部と、
前記固定位置にある場合に前記シリンダユニットに形成される雌ネジ部に螺合するネジ部と、
前記操作部と前記ネジ部との間に形成され、前記接続部材を摺動可能に支持する摺動軸部と、を有していることを特徴とする請求項１または２に記載の電気錠システム。
【請求項４】
前記装着部材を前記固定位置から前記解除位置に向けて付勢する解除付勢部材を更に備えることを特徴とする請求項１ないし３のいずれかに記載の電気錠システム。
【請求項５】
前記シリンダユニットは、
前記電気錠の施解錠に関する入力を受けるシリンダ側電装部材と、
前記シリンダ側電装部材からの出力結果に基づいて前記ボルト機構に施解錠信号を送信する制御基板と、を有し、
前記相手側コネクタは、前記制御基板上に実装されていることを特徴とする請求項１ないし４のいずれかに記載の電気錠システム。
【発明の詳細な説明】
【技術分野】
【０００１】
本発明は、扉の木口側からデッドボルトを電気的に進退駆動させて施解錠を行う電気錠システムに関する。
【背景技術】
【０００２】
近年、セキュリティや操作性の向上を目的として、建物の扉には、ＩＣカード等をリーダにかざして電気的に施解錠を行う電気錠が用いられている。
【０００３】
例えば、特許文献１には、扉に内設した既存の錠ケースと、電気シリンダと、ねじ型接続金具アッセンブリと、接続プレートアッセンブリと、を備えた電気錠システムが開示されている。ねじ型接続金具アッセンブリは、錠ケースの雌ねじ部分にねじ込まれる。接続プレートアッセンブリは、電気シリンダに固定される。電気シリンダは、接続プレートアッセンブリを介してねじ型接続金具アッセンブリに嵌め込まれる。そして、扉の木口側からネジを締め込むことによって、ねじ型接続金具アッセンブリの回転止めと、電気シリンダの固定と、を一度に行う。
【先行技術文献】
【特許文献】
【０００４】
【特許文献１】特開２０１０−１４４４００号公報
【発明の概要】
【発明が解決しようとする課題】
【０００５】
しかしながら、上記した特許文献１に係る技術は、電気シリンダを固定する前に、電気シリンダとその他の電装部材との電気的な接続を行わなければならなかった。具体的には、作業者は、コネクタ付きのケーブル（電源線等）を扉の内部から外部に引き出す。そして、作業者は、引き出したケーブルを電気シリンダに接続し、そのケーブルを扉内に戻した後でなければシリンダの固定作業を行うことができなかった。このため、簡単且つ迅速に電気シリンダの取付作業を行うことが困難であった。
【０００６】
本発明は、上記した課題を解決すべくなされたものであり、電気錠に対するシリンダユニットの物理的な固定と電気的な接続とを容易に行うための電気錠システムを提供することを目的とする。
【課題を解決するための手段】
【０００７】
上記した目的を達成するため、本発明の電気錠システムは、扉の木口から前記扉に内設され、前記木口側でデッドボルトを進退させるボルト機構を含む電気錠と、前記扉の一方の壁面側から前記電気錠に取り付けられ、前記ボルト機構を動作させて施解錠を行うシリンダユニットと、前記シリンダユニットを前記電気錠に固定する固定位置と、前記電気錠に対する前記シリンダユニットの固定を解除する解除位置と、の間で移動可能な装着部材と、前記装着部材に支持され、前記電気錠内の電装部材に導通するコネクタを有する接続部材と、を備え、前記接続部材は、前記装着部材を前記固定位置に移動した場合に、前記シリンダユニットに設けられる相手側コネクタに対して前記コネクタを電気的に接続させ、前記装着部材を前記解除位置に移動した場合に、前記相手側コネクタに対する前記コネクタの接続を解除することを特徴とする。
【０００８】
この構成によれば、装着部材を固定位置に移動することによって、シリンダユニットは電気錠に固定され、コネクタは相手側コネクタに電気的に接続される。また、装着部材を解除位置に移動することによって、シリンダユニットは電気錠から固定解除され、コネクタは相手側コネクタから接続解除される。つまり、接続部材は、装着部材に連動して移動する。これにより、電気錠に対するシリンダユニットの物理的な固定作業と電気的な接続作業と（取付作業）が、一度の操作（１つの工程）で簡単に行うことができる。また、シリンダユニットの電気的な接続作業は、シリンダユニットの固定作業に連動して適正に行われるため、各コネクタの接続忘れや配線の噛み込み等の不具合の発生を防止することができる。
【０００９】
この場合、前記接続部材は、前記コネクタを前記相手側コネクタに向けて付勢する付勢部材を有していることが好ましい。
【００１０】
この構成によれば、付勢部材に付勢力によって、コネクタと相手側コネクタとの接続状態が適切に維持される。これにより、各コネクタの端子同士の接触不良を防止することができる。
【００１１】
この場合、前記装着部材は、前記解除位置にある場合に前記電気錠の前記木口側の端面から突出し、前記固定位置にある場合に前記端面と面一になる操作部と、前記固定位置にある場合に前記シリンダユニットに形成される雌ネジ部に螺合するネジ部と、前記操作部と前記ネジ部との間に形成され、前記接続部材を摺動可能に支持する摺動軸部と、を有していることが好ましい。
【００１２】
この構成によれば、作業者は、電気錠の木口側端面から突出した操作部を操作して、装着部材を解除位置から固定位置に移動させる。これにより、扉内での作業を行う必要がなく、作業者は、扉の外側での操作によって容易に取付作業を行うことができる。また、作業者は、電気錠の木口側端面からの操作部の出没状態を確認することによって、装着部材の位置を容易に認識することができる。さらに、固定位置にある操作部は木口側端面と面一になるため、扉の円滑な開閉を担保することができる。ネジ部は、雌ネジ部に螺合することによって装着部材を固定位置に保持することができる。
【００１３】
この場合、前記装着部材を前記固定位置から前記解除位置に向けて付勢する解除付勢部材を更に備えることが好ましい。
【００１４】
この構成によれば、解除付勢部材は、螺合を解除した装着部材を自動的に固定位置から解除位置に移動させることができる。
【００１５】
この場合、前記シリンダユニットは、前記電気錠の施解錠に関する入力を受けるシリンダ側電装部材と、前記シリンダ側電装部材からの出力結果に基づいて前記ボルト機構に施解錠信号を送信する制御基板と、を有し、前記相手側コネクタは、前記制御基板上に実装されていることが好ましい。
【００１６】
この構成によれば、相手側コネクタを制御基板上に実装することによってシリンダユニットをコンパクトに構成することができる。また、相手側コネクタと制御基板とを電気的に接続するケーブル等を省略することができる。
【発明の効果】
【００１７】
本発明によれば、電気錠に対するシリンダユニットの物理的な固定と電気的な接続とを１つの工程で容易に行うことができる。
【図面の簡単な説明】
【００１８】
【図１】本発明の一実施形態に係る電気錠システムを模式的に示す分解斜視図である。
【図２】本発明の一実施形態に係る電気錠システムを模式的に示す側面図である。
【図３】本発明の一実施形態に係る電気錠システムのシリンダユニットおよびシリンダ取付装置を模式的に示す背面図である。
【図４】本発明の一実施形態に係る電気錠システムのシリンダ取付装置の作用を模式的に示す背面図であって、（Ａ）は取付作業の初期状態を示し、（Ｂ）は取付作業の途中の状態を示し、（Ｃ）は取付作業が完了した状態を示している。
【図５】本発明の一実施形態の変形例に係る電気錠システムのシリンダユニットおよびシリンダ取付装置を模式的に示す背面図である。
【発明を実施するための形態】
【００１９】
以下、本発明の実施の形態について、添付した図面を参照しながら説明する。
【００２０】
図１ないし図３を参照して、一実施形態に係る電気錠システム１について説明する。ここで、図１は電気錠システム１を模式的に示す分解斜視図である。図２は電気錠システム１を模式的に示す側面図である。図３は電気錠システム１のシリンダユニット５およびシリンダ取付装置６を模式的に示す背面図である。なお、以下の説明では、便宜上、図１および図２において、室外側である右側を正面（前）とし、室内側である左側を背面（後）とする。
【００２１】
図１および図２に示すように、電気錠システム１は、扉２の木口２ａ側からデッドボルト１５を電気的に進退駆動させて施解錠を行うものである。電気錠システム１は、電気錠３と、室内側ユニット４と、シリンダユニット５と、シリンダ取付装置６と、を備えている。
【００２２】
電気錠３は、室内側ユニット４とシリンダユニット５の外部との間に挟まれるように扉２の木口２ａから扉２の内部に設けられている。電気錠３は、木口２ａから扉２内に挿入される錠ケース１０と、錠ケース１０に内設され、木口２ａ側でデッドボルト１５を進退させるボルト機構１１と、を含んで構成されている。
【００２３】
錠ケース１０は、取付板１２を介して扉２内に固定されている。錠ケース１０の上部には、シリンダユニット５を取り付けるためのシリンダ取付開口１３が厚み方向に貫通形成されている。シリンダ取付開口１３は、シリンダユニット５が嵌合するように略円形状に形成されている。また、錠ケース１０の下部には、室内側レバーハンドル７および室外側レバーハンドル８を取り付けるためのハンドル取付開口１４が厚み方向に貫通形成されている。なお、扉２の室内側壁面２ｂおよび室外側壁面２ｃには、シリンダ取付開口１３およびハンドル取付開口１４に対応する位置に、それぞれ、壁側開口（図示せず）が形成されている。
【００２４】
ボルト機構１１は、デッドボルト１５と、電動アクチュエータ１６と、動力伝達機構１７と、駆動制御回路１８と、を含んで構成されている。
【００２５】
デッドボルト１５は、木口２ａ側から進退可能に設けられている。電動アクチュエータ１６は、例えば、電動モータやソレノイド等によって構成されている。動力伝達機構１７は、電動アクチュエータ１６の動力をデッドボルト１５に伝達すると共に、シリンダユニット５等からの施解錠動作をデッドボルト１５に伝達する。駆動制御回路１８は、電動アクチュエータ１６の駆動を制御する。また、駆動制御回路１８は、デッドボルト１５が木口２ａ側から突出しているか否かを検知するボルトセンサ（図示せず）を有している。
【００２６】
また、動力伝達機構１７は、室内側レバーハンドル７および室外側レバーハンドル８の動作をデッドボルト１５に伝達する。デッドボルト１５は、解錠時に室内側レバーハンドル７または室外側レバーハンドル８を回動操作することで錠ケース１０内に引き込まれる。これにより、扉２の開放が可能となる。なお、扉２を閉めると自動的にデッドボルト１５が突出するようになっている。
【００２７】
室内側ユニット４は、扉２の室内側壁面２ｂに固定されている。室内側ユニット４は、室内側ケース２０と、電源装置２１と、サムターン２２と、を含んで構成されている。
【００２８】
室内側ケース２０は、合成樹脂等の絶縁材料によって上下方向に細長い略矩形箱状に形成されている。
【００２９】
電源装置２１は、複数の電池２３を保持する電池ボックス２４と、電池ボックス２４に電気的に接続される室内側コネクタ２５と、を含んで構成されている。
【００３０】
電池ボックス２４は、室内側ケース２０内の上側に固定されている。電池ボックス２４には、例えば、４本の円筒型の電池２３（乾電池）が上下方向に並設されている。電池ボックス２４の左右両端部には、各電池２３の電極に接触する電源端子（図示せず）が設けられている。各電源端子は、適正な電気回路を形成し、室内側コネクタ２５に電気的に接続されている。
【００３１】
室内側コネクタ２５は、所謂フローティングコネクタであって、電池ボックス２４の下側に設けられるコネクタベース２６に支持されている。図示は省略するが、室内側コネクタ２５は、コネクタベース２６の上面に固定された固定ハウジングと、固定ハウジングに対して移動可能な可動ハウジングと、両ハウジングの間に架設される複数の端子と、を有している。固定ハウジングおよび可動ハウジングは、樹脂等の絶縁性材料で形成され、各端子は、金属等の導電性材料で形成されている。
【００３２】
なお、室内側コネクタ２５の接続先は、電池ボックス２４に限定されない。例えば、室内側コネクタ２５は、電池ボックス２４に代えて（または電池ボックス２４に加えて）、入退室管理のためのリーダ、各種センサ、テンキー等の基板に接続されていてもよい。
【００３３】
サムターン２２は、室内側ケース２０の下部に設けられ、室内側からユーザによって施解錠（回動）操作される。サムターン２２は、室内側から室外側に向けて延びる回転軸２７を有している。回転軸２７は、室内側からシリンダユニット５に連結される。
【００３４】
シリンダユニット５は、扉２の室外側壁面２ｃ側から電気錠３に取り付けられ、ボルト機構１１を動作させて施解錠を行うために設けられている。シリンダユニット５は、外側筒部３０と、内側筒部３１と、鍵穴部３２と、ダルマ部３３と、リーダ３４と、制御基板３５と、を含んで構成されている。
【００３５】
外側筒部３０は、室外側壁面２ｃに設けられる外装部４０と、外装部４０の内部から後方に延設される本体筒部４１と、本体筒部４１を覆う本体カバー４２と、を有している。
【００３６】
外装部４０は、前方に向けて縮径する円錐台状に形成されている。図３に示すように、本体筒部４１は、略直方体状のブロック部４１ａと、ブロック部４１ａの下側中央から下方に突出する略半円筒状の円筒部４１ｂと、によって一体形成されている。ブロック部４１ａの左右両側面には、雌ネジ部４３が穿設されている。本体カバー４２は、略円筒状に形成されている。本体カバー４２で覆われた本体筒部４１は、電気錠３のシリンダ取付開口１３に嵌合する外径を有している（図１参照）。
【００３７】
内側筒部３１は、略円筒状に形成され、円筒部４１ｂの内部に設けられている。内側筒部３１の左右両側面は、各雌ネジ部４３の底面を構成している。
【００３８】
図１および図２に示すように、鍵穴部３２は、内側筒部３１の前側内部に回転可能に支持されている。鍵穴部３２の前端面は、室外に露出して外装部４０の先端面と略面一に形成されている。鍵穴部３２の前端面には、機械的キー（図示せず）が挿入される鍵穴４４が開口している。鍵穴部３２の後端面には、テールピース４５が設けられている。
【００３９】
ダルマ部３３は、内側筒部３１の後側内部に回転可能に支持され、ダルマ部３３の軸心部には、室外側からテールピース４５が嵌挿されている（図３参照）。また、ダルマ部３３の軸心部には、室内側からサムターン２２の回転軸２７が嵌合するようになっている。ダルマ部３３の下部には、径方向に延出する作動凸部４６が一体形成されている。作動凸部４６は、円筒部４１ｂおよび内側筒部３１の下部に形成される作動溝４７から下方に露出している。これにより、作動凸部４６は、シリンダユニット５を電気錠３に取り付けた状態で動力伝達機構１７に係合する。
【００４０】
ここで、手動による電気錠３の施解錠について説明する。
【００４１】
室内でユーザがサムターン２２を所定方向に回動させると、回転軸２７を介してダルマ部３３が回動する。そして、ダルマ部３３と共に回動する作動凸部４６が動力伝達機構１７を作動させ、デッドボルト１５が進退する。同様に、室外でユーザが鍵穴４４に挿し込んだ機械的キーを所定方向に回動させると、テールピース４５を介してダルマ部３３が回動する。そして、ダルマ部３３と共に回動する作動凸部４６が動力伝達機構１７を作動させ、デッドボルト１５が進退する。つまり、ユーザは、室内および室外から電気錠３の施解錠操作を行うことができる。
【００４２】
次に、シリンダ側電装部材としてのリーダ３４は、外装部４０の上側内部に設けられ、電気錠３の施解錠に関する入力を受ける。具体的には、リーダ３４は、例えば、非接触型のＩＣカード９に記憶された認証情報を読み取るためのアンテナ等を有している。なお、リーダ３４に代えて、タッチキー、テンキーまたは指紋等の生体認証装置等をシリンダ側電装部材として用いてもよい。なお、ＩＣカード９に代えて、キーヘッドやタグに認証情報を記憶してもよい。
【００４３】
制御基板３５は、本体筒部４１と本体カバー４２との間に配設されている。詳細には、制御基板３５は、外側筒部３０のブロック部４１ａの上面に立設する左右一対の基板支持部４１ｃに支持されている（図３参照）。制御基板３５は、リーダ３４からの出力結果に基づいてボルト機構１１（駆動制御回路１８）に施解錠信号を送信する。
【００４４】
制御基板３５上には、第１基板側コネクタ５０と、第２基板側コネクタ５１と、が実装されている。
【００４５】
第１基板側コネクタ５０は、樹脂製のハウジング内に並設される金属製の複数の端子（いずれも図示せず）を有している。第１基板側コネクタ５０は、制御基板３５の後部（室内側）に配設されている。第１基板側コネクタ５０には、室内側ユニット４の室内側コネクタ２５が室内側から嵌合して電気的に接続される。
【００４６】
相手側コネクタとしての第２基板側コネクタ５１は、樹脂製の相手側基板５２上に並設される金属製の複数の相手側端子５３を有している（図１参照）。相手側基板５２には、複数の相手側端子５３を挟むように前後一対の位置決め孔５４が凹設されている。第２基板側コネクタ５１は、制御基板３５の木口２ａ側に配設されている（図３参照）。
【００４７】
次に、図３を参照して、シリンダ取付装置６について説明する。
【００４８】
シリンダ取付装置６は、錠ケース１０の内部に設けられ、シリンダユニット５の物理的（機械的）な固定と電気的な接続とを行うために設けられている。シリンダ取付装置６は、装着部材６０と、接続部材６１と、解除付勢部材６２と、を含んで構成されている。
【００４９】
装着部材６０は、例えば、鉄等の金属材料によって略棒状に形成されている。装着部材６０は、電気錠３の木口２ａ側の端面となる取付板１２と錠ケース１０内に配設される支持ブロック６３とによって支持されている。装着部材６０は、シリンダユニット５を電気錠３に固定する固定位置Ｐ２（図４（Ｃ）参照）と、電気錠３に対するシリンダユニット５の固定を解除する解除位置Ｐ１と、の間で移動可能に設けられている。
【００５０】
装着部材６０は、操作部７０と、ネジ部７１と、摺動軸部７２と、を含み一体形成されている。操作部７０、ネジ部７１および摺動軸部７２は、それぞれ、円形断面を有し、同一軸心上に連設されている。
【００５１】
操作部７０は、取付板１２に形成される貫通孔１２ａを挿通している。操作部７０は、軸方向に摺動可能かつ軸周りに回転可能な状態で取付板１２に支持されている。操作部７０の一部（図３の左側）は、取付板１２から外部に露出している。操作部７０の外端面（左側端面）には、プラスドライバ（図示せず）の先端部が嵌合する十字溝Ｄが凹設されている（図１参照）。操作部７０の内端部（右端部）には、操作側フランジ部７０ａが設けられている。操作側フランジ部７０ａは、貫通孔１２ａよりも大径に形成されている。
【００５２】
ネジ部７１は、操作部７０よりも僅かに小径に形成され、支持ブロック６３に形成される貫通孔６３ａを挿通している。ネジ部７１は、軸方向に摺動可能かつ軸周りに回転可能な状態で支持ブロック６３に支持されている。ネジ部７１は、ネジ支持部７３と雄ネジ本体７４とを有している。ネジ支持部７３の左側端部には、操作側フランジ部７０ａよりも小径となるネジ側フランジ部７３ａが設けられている。雄ネジ本体７４は、ネジ支持部７３の先端部（右端部）に連設され、シリンダユニット５（ブロック部４１ａ）に形成される雌ネジ部４３に螺合する。
【００５３】
摺動軸部７２は、ネジ部７１よりも僅かに小径に形成されており、操作部７０とネジ部７１との間に形成されている。正確には、摺動軸部７２は、操作側フランジ部７０ａとネジ側フランジ部７３ａとを連結するように設けられている。摺動軸部７２は、接続部材６１に対して軸方向に摺動可能かつ軸周りに回転可能な状態で連結されている。
【００５４】
接続部材６１は、装着部材６０（摺動軸部７２）に支持され、電気錠３内の電装部材としての駆動制御回路１８に導通するコネクタ８２を有している。詳細には、接続部材６１は、接続フレーム８０と、コネクタホルダー８１と、コネクタ８２と、を有している。
【００５５】
接続フレーム８０は、背面視で略Ｌ字状に形成され、上側から摺動軸部７２に跨るように設けられる摺動支持部８０ａを有している。摺動支持部８０ａは、摺動軸部７２に沿って左右方向に移動可能に係合している。また、摺動支持部８０ａは、摺動軸部７２の回転を許容するように係合している。接続フレーム８０は、摺動支持部８０ａから右上方向に延びた上端部で屈曲して右方向に略水平に延設されている。接続フレーム８０の右端部下面は、支持ブロック６３の上面に摺接している。
【００５６】
コネクタホルダー８１は、平面視で略矩形環状に形成されている。コネクタホルダー８１の左側壁は、接続フレーム８０の先端部（右端部）に左右方向に移動可能に支持されている。
【００５７】
コネクタホルダー８１の内側には、２本の付勢部材８３が前後方向に並設されている。各付勢部材８３は、所謂コイルスプリングで構成され、接続フレーム８０の先端面（右側外端面）とコネクタホルダー８１の右側内面との間に僅かに圧縮された状態で設けられている。これにより、各付勢部材８３は、接続フレーム８０の先端面を台座としてコネクタホルダー８１を右方向に付勢している。
【００５８】
コネクタ８２は、中継基板８４に実装される所謂コンプレッション型のコネクタであって、樹脂製のハウジング８５内に並設される金属製の複数の接触端子８６を有している。各接触端子８６の基端部は、中継基板８４に電気的に接続され、各接触端子８６の先端部は、左右方向（相手側端子５３との接触方向）に撓曲可能な状態でハウジング８５に保持されている。ハウジング８５には、複数の接触端子８６を挟むように前後一対の位置決め突起８７が凸設されている。各位置決め突起８７の先端部は、テーパー状に形成されている。
【００５９】
コネクタ８２は、中継基板８４を介してコネクタホルダー８１の先端面（右側外端面）に固定されている。コネクタ８２は、制御基板３５上の第２基板側コネクタ５１に圧着されて電気的に接続される。なお、中継基板８４は、駆動制御回路１８に電気的に接続されている。
【００６０】
解除付勢部材６２は、所謂コイルスプリングで構成され、ネジ支持部７３に巻回するように設けられている。解除付勢部材６２は、支持ブロック６３と操作側フランジ部７０ａとの間に圧縮された状態で配設されている。これにより、解除付勢部材６２は、装着部材６０を固定位置Ｐ２から解除位置Ｐ１に向けて付勢する。
【００６１】
次に、図３および図４を参照して、電気錠システム１の取り付け手順について説明する。ここで、図４は電気錠システム１のシリンダ取付装置６の作用を模式的に示す背面図であって、（Ａ）は取付作業の初期状態を示し、（Ｂ）は取付作業の途中の状態を示し、（Ｃ）は取付作業が完了した状態を示している。
【００６２】
まず、作業者は、電気錠３を木口２ａから扉２の内部に挿入し、取付板１２を木口２ａにネジ留めする（図２参照）。これにより、電気錠３は、扉２内に取り付けられる。このとき、取付板１２は、木口２ａと略同一平面上に固定される（図３参照）。
【００６３】
図３に示すように、装着部材６０は、解除付勢部材６２の付勢力によって解除位置Ｐ１に保持されている。このため、操作部７０は、解除位置Ｐ１にある場合に電気錠３の取付板１２から突出している。また、操作側フランジ部７０ａは、取付板１２の内面に当接し、ネジ側フランジ部７３ａは、接続部材６１の摺動支持部８０ａの右端面に当接している。
【００６４】
次に、作業者は、シリンダユニット５を扉２の室外側壁面２ｃ側から電気錠３のシリンダ取付開口１３に挿し込む（図２参照）。外装部４０が室外側壁面２ｃに当接することで、シリンダユニット５の挿入が規制される。
【００６５】
次に、作業者は、電気錠３に対するシリンダユニット５の物理的な固定作業と電気的な接続作業と（以下、「取付作業」と呼ぶ。）を実行する。シリンダユニット５の取付作業は、シリンダ取付装置６によって行われる。
【００６６】
まず、作業者は、解除位置Ｐ１にある装着部材６０の操作部７０の十字溝Ｄにプラスドライバの先端部を嵌める。図４（Ａ）に示すように、作業者は、解除付勢部材６２の付勢力に抗して操作部７０を扉２の吊元側（右方向）に向けて押し込む。装着部材６０は、取付板１２の貫通孔１２ａおよび支持ブロック６３の貫通孔６３ａにガイドされて右方向にスライドする。装着部材６０のネジ部７１（雄ネジ本体７４）の先端部は、シリンダユニット５の雌ネジ部４３の周縁部に当接する。一方、接続部材６１は、装着部材６０の摺動軸部７２にガイドされて相対的に左方向にスライドする。接続部材６１の摺動支持部８０ａは、操作側フランジ部７０ａに当接するため、接続部材６１は、装着部材６０と共に僅かに右方向に移動する。
【００６７】
次に、図４（Ｂ）に示すように、作業者は、プラスドライバによって装着部材６０を所定方向（例えば、時計回り）に回転させる。これにより、雄ネジ本体７４は、シリンダユニット５の雌ネジ部４３に螺合する。雌ネジ部４３に対する雄ネジ本体７４の螺合の進行によって、装着部材６０は、右方向に移動する。一方、接続部材６１も、装着部材６０と共に右方向に移動する。コネクタ８２の各位置決め突起８７は、第２基板側コネクタ５１の各位置決め孔５４内に進入を開始し、コネクタ８２と第２基板側コネクタ５１との接続をガイドする。そして、コネクタ８２の各接触端子８６は、第２基板側コネクタ５１の相手側端子５３に接触する。
【００６８】
図４（Ｃ）に示すように、更に装着部材６０を回転させて雄ネジ本体７４を雌ネジ部４３に締め込むと、装着部材６０の先端部（雄ネジ本体７４）は、内側筒部３１の左側面に当接する。つまり、装着部材６０は、固定位置Ｐ２に移動した状態となる。一方、接続部材６１の接続フレーム８０は、各付勢部材８３の付勢力に抗してコネクタホルダー８１内を右方向に移動する。このため、各付勢部材８３は、コネクタホルダー８１内で更に圧縮されてコネクタ８２を第２基板側コネクタ５１に向けて付勢する。このため、コネクタ８２の各接触端子８６は、第２基板側コネクタ５１の相手側端子５３に圧接する。各付勢部材８３に付勢力によって、コネクタ８２と第２基板側コネクタ５１との接続状態が適切に維持される。これにより、各コネクタ５１，８２の端子５３，８６同士の接触不良を防止することができる。
【００６９】
以上によって、電気錠３に対するシリンダユニット５の取付作業が完了する。なお、操作部７０は、固定位置Ｐ２にある場合に取付板１２と面一になる。
【００７０】
次に、図２に示すように、作業者は、室内側ユニット４を扉２の室内側壁面２ｂ側から電気錠３に取り付ける。詳細には、作業者は、サムターン２２の回転軸２７をシリンダユニット５のダルマ部３３に連結させる。また、作業者は、室内側コネクタ２５をシリンダユニット５の第１基板側コネクタ５０に嵌合させる。これにより、各コネクタ２５，５０の各端子同士が接触する。なお、室内側ユニット４（室内側ケース２０）は、ネジ等によって扉２の室内側壁面２ｂに固定される。次に、作業者は、室内側レバーハンドル７および室外側レバーハンドル８を電気錠３に取り付ける（図１参照）。
【００７１】
以上によって、室内側ユニット４とシリンダユニット５とは、扉２を挟み込むように取り付けられる（図２参照）。つまり、電気錠システム１の取り付けが完了する。電源装置２１からの電力は、各コネクタ２５，５０，５１，８２を介して、シリンダユニット５のリーダ３４や制御基板３５、ボルト機構１１の電動アクチュエータ１６や駆動制御回路１８等に供給される。
【００７２】
なお、以上説明した電気錠システム１の取り付け手順の逆工程を実行することによって電気錠システム１を扉２から取り外すことができる。すなわち、接続部材６１は、装着部材６０を固定位置Ｐ２に移動した場合に、シリンダユニット５に設けられる第２基板側コネクタ５１に対してコネクタ８２を電気的に接続させ、装着部材６０を解除位置Ｐ１に移動した場合に、第２基板側コネクタ５１に対するコネクタ８２の接続を解除する。また、解除付勢部材６２は、螺合を解除した装着部材６０を自動的に固定位置Ｐ２から解除位置Ｐ１に移動させることができる。
【００７３】
次に、電気錠システム１の解錠動作について簡単に説明する。室外側から入室しようとする者（ユーザ）は、ＩＣカード９をリーダ３４にかざす（図２参照）。リーダ３４は、ＩＣカード９から読み取った認証情報を制御基板３５に送信する。制御基板３５は、読み取った認証情報と特定の認証情報とを比較、判別する。この結果、各認証情報が合致すると判別された場合、制御基板３５から各コネクタ５１，８２を介して電気錠３の駆動制御回路１８に解錠信号が出力され、電動アクチュエータ１６の駆動によって電気錠３が解錠される。一方、合致せずと判別された場合には、制御基板３５からの解錠信号が送信されず、電気錠３の解錠は行われない。なお、施解錠に必要な特定の認証情報は、制御基板３５上に実装される記憶装置（図示せず）に予め記憶されている。
【００７４】
以上説明した本実施形態に係る電気錠システム１によれば、装着部材６０を固定位置Ｐ２に移動することによって、シリンダユニット５は電気錠３に固定され、コネクタ８２は第２基板側コネクタ５１に電気的に接続される。また、装着部材６０を解除位置Ｐ１に移動することによって、シリンダユニット５は電気錠から固定解除され、コネクタ８２は第２基板側コネクタ５１から接続解除される。つまり、接続部材６１は、装着部材６０に連動して移動する。これにより、電気錠３に対するシリンダユニット５の物理的な固定作業と電気的な接続作業と（取付作業）が、一度の操作（１つの工程）で簡単に行うことができる。また、シリンダユニット５の電気的な接続作業は、シリンダユニット５の固定作業に連動して適正に行われるため、各コネクタ８２の接続忘れや配線の噛み込み等の不具合の発生を防止することができる。
【００７５】
また、本実施形態に係る電気錠システム１によれば、作業者は、電気錠３の木口２ａ側端面（取付板１２）から突出した操作部７０を操作して、装着部材６０を解除位置Ｐ１から固定位置Ｐ２に移動させる。これにより、扉２内での作業を行う必要がなく、作業者は、扉２の外側での操作によって容易に取付作業を行うことができる。また、作業者は、取付板１２からの操作部７０の出没状態を確認することによって、装着部材６０の位置を容易に認識することができる。さらに、固定位置Ｐ２にある操作部７０は取付板１２と面一になるため、扉２の円滑な開閉を担保することができる。ネジ部７１（雄ネジ本体７４）は、雌ネジ部４３に螺合することによって装着部材６０を固定位置Ｐ２に安定して保持することができる。
【００７６】
また、本実施形態に係る電気錠システム１によれば、第２基板側コネクタ５１を制御基板３５上に実装することによってシリンダユニット５をコンパクトに構成することができる。また、第２基板側コネクタ５１と制御基板３５とを電気的に接続するケーブル等を省略することができる。
【００７７】
なお、本実施形態に係る電気錠システム１では、１つの装着部材６０によってシリンダユニット５を電気錠３に固定していたが、装着部材６０の配設数は任意である。また、装着部材６０（ネジ部７１）を雌ネジ部４３に螺合させることでシリンダユニット５を電気錠３に固定していたが、本発明はこれに限定されない。例えば、雌ネジ部４３に代えて嵌合孔を設け、この嵌合孔に対して雄ネジ本体７４を省略した装着部材６０の先端部を嵌合させてもよい。
【００７８】
また、例えば、図５に示すように、シリンダ取付装置１００を、装着部材１０１と、一対の連結部材１０２とによって構成してもよい。装着部材１０１は、上下一対の固定ピン１０３を略Ｕ字状に連結して構成されている。連結部材１０２は、一対の固定ピン１０３の間にコネクタ１０４を支持している。この場合、シリンダユニット５（外側筒部３０）には、雌ネジ部４３に代えて、各固定ピン１０３を挿し込むための上下一対のピン受け孔１０５が形成される。
【００７９】
なお、本実施形態に係る電気錠システム１では、１つの装着部材６０に１つの接続部材６１を支持させていたが、１つの装着部材６０に複数の接続部材６１を支持させてもよい。また、本実施形態に係る電気錠システム１では、装着部材６０（ネジ部７１）を左側の雌ネジ部４３に螺合させていたが、右側の雌ネジ部４３に螺合するような構成としてもよい。また、本実施形態に係る電気錠システム１のシリンダユニット５は、室外側に設けられていたが、室内側に設けられていてもよい。
【００８０】
なお、本実施形態に係る電気錠システム１のシリンダ取付装置６から解除付勢部材６２および付勢部材８３のうち少なくとも一方を省略してもよい。また、本実施形態に係る電気錠システム１のシリンダユニット５では、第２基板側コネクタ５１（相手側コネクタ）は、制御基板３５に実装されていたが、本発明はこれに限定されない。例えば、相手側コネクタは、制御基板３５から分離して設けられていてもよいし、単なる電力中継のために用いられてもよい。
【００８１】
なお、上記した本発明の実施形態の説明は、本発明に係る電気錠システム１における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００８２】
１  電気錠システム
２  扉
２ａ  木口
２ｃ  室外側壁面（一方の壁面）
３  電気錠
５  シリンダユニット
１１  ボルト機構
１２  取付板（端面）
１５  デッドボルト
１８  駆動制御回路（電装部材）
３４  リーダ（シリンダ側電装部材）
３５  制御基板
４３  雌ネジ部
５１  第２基板側コネクタ（相手側コネクタ）
６０  装着部材
６１  接続部材
６２  解除付勢部材
７０  操作部
７１  ネジ部
７２  摺動軸部
８２  コネクタ
８３  付勢部材
Ｐ１  解除位置
Ｐ２  固定位置
【図１】
2015183415.tif 000003
【図２】
2015183415.tif 000004
【図３】
2015183415.tif 000005
【図４】
2015183415.tif 000006
【図５】
2015183415.tif 000007